(57)【要約】【課題】  ネックと胴部との接合強度を高め、胴部に対してネックを精度良く且つ簡単に取り付けることができるようにすること。【解決手段】  弦楽器１０の胴部１１に嵌合構造１３を介してネック１２が取り付けられる。嵌合構造１３は、ネック１２の後面部１２Ａに連設された略蟻ほぞ部１８と、この略蟻ほぞ部１８と嵌合する略蟻溝部１９とを備えて構成されている。略蟻ほぞ部１８は、略蟻ほぞ部１８の形状変化を許容する変形許容部２６を備え、この変形許容部２６は、上下方向に沿って延びる縦割り溝２８と、左右方向に沿って延びる横割り溝２９とからなる。略蟻ほぞ部１８は、略蟻溝部１９に圧入されたときに、変形許容部２６により略蟻溝部１９の内面形状に応じて変形する。【選択図】      図１
2006047713.tif 000002
【特許請求の範囲】
【請求項１】
弦楽器の胴部に嵌合構造を介してネックを取り付けるためのネック取付構造において、
前記嵌合構造は、胴部及びネックの何れか一方に設けられた受容部と、胴部及びネックの何れか他方に設けられるとともに、受容部に嵌合する凸部とを含み、
前記凸部は変形許容部を含み、当該変形許容部により凸部が受容部の内面形状に応じて変形することを特徴とする弦楽器のネック取付構造。
【請求項２】
弦楽器の胴部に嵌合構造を介してネックを取り付けるためのネック取付構造において、
前記嵌合構造は、胴部及びネックの何れか一方に設けられた略蟻溝部と、胴部及びネックの何れか他方に設けられるとともに、略蟻溝部に嵌合する略蟻ほぞ部とを含み、
前記略蟻ほぞ部は変形許容部を含み、当該変形許容部により略蟻ほぞ部が略蟻溝部の内面形状に応じて変形することを特徴とする弦楽器のネック取付構造。
【請求項３】
前記変形許容部は、上下方向に沿って延びる割り溝を含んで構成されていることを特徴とする請求項１又は２記載の弦楽器のネック取付構造。
【請求項４】
前記変形許容部は、左右方向に沿って延びる割り溝を含んで構成されていることを特徴とする請求項３記載の弦楽器のネック取付構造。
【請求項５】
前記ネックの後端側には、胴部の前面側に接触する接触部が設けられ、この接触部を胴部の前面側に接触させたときに、前記変形許容部を介して略蟻ほぞ部が変形することを特徴とする請求項２記載の弦楽器のネック取付構造。
【発明の詳細な説明】
【技術分野】
【０００１】
本発明は、弦楽器のネック取付構造に係り、更に詳しくは、胴部にネックを簡単且つ精度良く取り付けることができる弦楽器のネック取付構造に関する。
【０００２】
従来より、ギター等の弦楽器においては、図７及び図８に示されるように、蟻継ぎ構造５０を介して胴部５１にネック５２を取り付けたものが知られている（特許文献１参照）。前記蟻継ぎ構造５０は、胴部５１における前面側に形成された略蟻溝部５３と、ネック５２の後端側に設けられて略蟻溝部５３に嵌合する略蟻ほぞ部５５とを含んで構成されている。このような弦楽器においては、胴部５１にネック５２を取り付けるときに、胴部５１に対してネック５２が上下方向（図８中紙面直交方向）や同図中左右方向に傾かないように、胴部５１とネック５２との相対角度を一定に保つことが要求される。従って、ネック５２の取り付け時に、前記相対角度の調整作業が行われ、当該作業は、略蟻ほぞ部５５の左右両側面５５Ａ，５５Ａや、ネック５２の後端側における左右のコーナー部５２Ａ，５２Ａを削ってネック５２の向きを変えることにより行われる。
【０００３】
【特許文献１】実公昭４８−３６６７２号公報
【発明の開示】
【発明が解決しようとする課題】
【０００４】
しかしながら、前記調整作業は、手作業にて経験的若しくは感覚的に行われるので、削り量が大きくなり過ぎたり、これを補正するためにスペーサ５７（図８参照）を介在させたりする場合が多い。このため、蟻ほぞ部５５の左右両側面５５Ａ，５５Ａと、蟻溝部５３の左右両側面５３Ａ，５３Ａとの間に隙間Ｓが生じ易くなって接触面積が小さくなり、ひいては、胴部５１とのネック５２と接合強度が十分に得られなくなるという不都合がある。しかも、前記調整作業は熟練度を必要とする煩雑な作業となるために生産性が低下するという不都合も招来する。
【０００５】
［発明の目的］
本発明は、このような不都合に着目して案出されたものであり、その目的は、ネックと胴部との接合強度を高めることができ、且つ、胴部に対してネックを精度良く且つ簡単に取り付けることができる弦楽器のネック取付構造を提供することにある。
【課題を解決するための手段】
【０００６】
前記目的を達成するため、本発明は、弦楽器の胴部に嵌合構造を介してネックを取り付けるためのネック取付構造において、
前記嵌合構造は、胴部及びネックの何れか一方に設けられた受容部と、胴部及びネックの何れか他方に設けられるとともに、受容部に嵌合する凸部とを含み、
前記凸部は変形許容部を含み、当該変形許容部により凸部が受容部の内面形状に応じて変形する、という構成が採用されている。
【０００７】
また、本発明は、弦楽器の胴部に嵌合構造を介してネックを取り付けるためのネック取付構造において、
前記嵌合構造は、胴部及びネックの何れか一方に設けられた略蟻溝部と、胴部及びネックの何れか他方に設けられるとともに、略蟻溝部に嵌合する略蟻ほぞ部とを含み、
前記略蟻ほぞ部は変形許容部を含み、当該変形許容部により略蟻ほぞ部が略蟻溝部の内面形状に応じて変形する、という構成も採用される。
【０００８】
本発明において、前記変形許容部は、上下方向に沿って延びる割り溝を含んで構成されるとよく、更に、左右方向に沿って延びる割り溝を含むことが好ましい。
【０００９】
また、前記ネックの後端側には、胴部の前面側に接触する接触部が設けられ、この接触部を胴部の前面側に接触させたときに、前記変形許容部を介して略蟻ほぞ部が変形する、という構成も好ましくは採用される。
【発明の効果】
【００１０】
本発明によれば、変形許容部により凸部が受容部の内面形状に応じて変形するので、当該変形によって凸部と受容部との間に隙間ができることを防止でき、それらの接触面積ができるだけ広くなるような嵌合構造とすることが可能となる。これにより、例えば、凸部を略蟻ほぞ部とし、受容部を略蟻溝部とした場合、それらの接合強度を向上させることができる。しかも、ネックの角度を調整する場合、従来のように略蟻ほぞ部を削ったり、スペーサを設けたりする煩雑な作業を不要として作業の簡略化を達成することが可能となる。
【００１１】
また、変形許容部が上下方向に沿って延びる割り溝を含んだ構成とすれば、当該割り溝の溝幅が変化するように略蟻ほぞ部が変形し易くなる。換言すれば、略蟻ほぞ部が左右方向に変形し易くなり、胴部に対してネックを左右方向に傾けるように角度補正しても、略蟻ほぞ部と略蟻溝部との間に隙間が生じることを回避し、それらが接触した状態を維持することが可能となる。これにより、ネックと胴部との接合強度を確保しつつ、ネックの左右方向への角度調整を行うことができる。なお、変形許容部が左右方向に沿って延びる割り溝も含んだ構成とすることにより、略蟻ほぞ部が上下方向にも変形し易くなり、ネックと胴部との接合強度をより高めてネックの上下方向への角度調整も行うことが可能となる。
【００１２】
更に、ネック後端側の接触部を胴部の前面側に接触させたときに略蟻ほぞ部を変形可能としたので、ネックの角度を調整する際、接触部だけを所定量削って当該接触部と胴部の前面側との接触状態を確保することにより、略蟻ほぞ部と略蟻溝部との接触状態も維持でき、ネックの角度調整作業をより簡単に行うことが可能となる。
【００１３】
なお、本明細書及び特許請求の範囲において、特に明示しない限り、「上」、「下」、「左」、「右」、「前」、「後」は、図１中の矢印で示される方向について用いられる。
【発明を実施するための最良の形態】
【００１４】
以下、本発明の好ましい実施の形態について図面を参照しながら説明する。
【００１５】
図１には、実施形態に係る弦楽器の部分分解斜視図が示され、図２には、弦楽器の部分平面図が示されている。これらの図において、弦楽器１０は、木製の胴部１１と、この胴部１１の前方に設けられて前後方向に延びる木製のネック１２と、このネック１２を胴部１１に取り付けるための嵌合構造１３とを備えて構成されている。なお、弦楽器１０は、本実施形態では、いわゆるアコースティックタイプのギターとしているが、それ以外の弦楽器、例えば、マンドリンやウクレレ等にも本発明を適用することができる。
【００１６】
前記胴部１１は、公知のギターに採用されている外観形状を呈している。胴部１１は、その前面側における左右方向略中央部が前方に膨出する平面形状を備えている。また、胴部１１の前記中央部には、後述する略蟻溝部を形成するためのブロック体１５（図２参照）が設けられている。
【００１７】
前記ネック１２は、図３に示されるように、後端側の上下厚みが部分的に厚くなるように形成され、これにより、胴部１１の前面側に相対する後面部１２Ａの面積を確保するようになっている。図２に示されるように、後面部１２Ａは、ネック１２を胴部１１に取り付ける前において、平面視で前方に陥没し且つ左右略対称となる湾曲面とされ、当該湾曲面は、胴部１１の前面左右方向中央部より小さい曲率に設定されている。ここで、後面部１２Ａにおいて、胴部１１の前面側に接触する領域が接触部１６とされ、図２に示される状態では、後面部１２Ａの左右両端部が接触部１６となる。
【００１８】
前記嵌合構造１３は、ネック１２の後面部１２Ａに連設された凸部としての略蟻ほぞ部１８と、この略蟻ほぞ部１８が圧入されて嵌合する受容部としての略蟻溝部１９とを備えて構成されている。
【００１９】
前記略蟻ほぞ部１８は、図２ないし図４に示されるように、ネック１２の上面と略面一となる平面部２１と、この平面部２１の後端に連なって垂下する正面部２２と、正面部２１及び平面部２２の左右両端にそれぞれ連なる一対の側面部２３，２３と、これら側面部２３，２３及び正面部２１の下端に連なる底面部２４と、略蟻ほぞ部１８の形状変化を許容する変形許容部２６とを備えて構成されている。なお、略蟻ほぞ部１８は、ネック１２の左右方向略中央部に連設されているとともに、ネック１２の左右方向中心部Ｃ１（図２及び図４中、一点鎖線で示す）に対して略対称となる形状を備えている。
【００２０】
前記平面部２１は、後方に向かうに従って左右幅が細くなる略台形状（図２参照）に形成されている。一方、正面部２２は、上下方向に沿って位置するとともに、下方に向かうに従って左右幅が次第に細くなる形状（図４参照）を備えている。正面部２２の下端縁は、左右方向中央部が下方に膨出する湾曲縁とされている。
【００２１】
前記側面部２３，２３は、前方及び下方に向かうに従って相互に接近する方向に向けられた傾斜面とされる。一方、底面部２４は、図３に示されるように、前方に向かうに従って次第に上昇するように傾斜しつつ、前記正面部２２の下端縁に沿って湾曲する面形状を備えている。
【００２２】
前記変形許容部２６は、略蟻ほぞ部１８を上下方向及び左右方向にそれぞれ三分割する溝状に形成されている。具体的には、図４に示されるように、上下方向に沿って延びる二本の縦割り溝２８，２８と、左右方向に沿って延びる二本の横割り溝２９，２９とにより構成されている。縦割り溝２８及び横割り溝２９は、図２及び図４に示されるように、後方を開放し、且つ、前方が底部となるように形成され、その溝深さが略蟻ほぞ部１８の後面部１２Ａからの突出量と略同一となるようにそれぞれ設定されている。また、各縦割り溝２８，２８は、前方及ぶ下方に向かうに従って相互に接近する方向に向けられている。一方、各横割り溝２９，２９は、相互に略平行となるように設けられている。
【００２３】
前記略蟻溝部１９は、図２に示されるように、略蟻ほぞ部１８を受容したときに、前記側面部２３，２３に略面接触可能な一対の内側面部３１，３１と、前記底面部２４に略面接触可能な内底面部３２（図３参照）と、正面部２２に対して所定間隔を隔てて位置する内正面部３３と含み、上部及び前部に上開放部３５及び前開放部３６（図１参照）を備えて構成されている。略蟻溝部１９は、上開放部３５から略蟻ほぞ部１８を受容するとともに、前開放部３６から略蟻ほぞ部１８の前側部分が突出するようになっている。略蟻ほぞ部１８及び略蟻溝部１９は、図２に示される嵌合状態において、各内側面部３１，３１に各側面部２３，２３が当接して胴部１１に対するネック１２の左右方向の移動を規制する。また、内側面部３１，３１の形成領域が前記接触部１６と各側面部２３，２３とにより挟み込まれて、胴部１１に対するネック１２の前後方向への移動が規制され、図３に示されるように、内底面部３２に底面部２４が当接して下方向への移動も規制される。
【００２４】
次に、胴部１１とネック１２との取付作業及びネック１２の角度調整作業について説明する。
【００２５】
先ず、胴部１１にネック１２を取り付けるにあたって、略蟻ほぞ部１８及び略蟻溝部１９を一時的に嵌合させる仮入れ作業を行う。この作業は、図１に示されるように、略蟻ほぞ部１８の下側から略蟻溝部１９の上開放部３５を通じて当該略蟻溝部１９内に略蟻ほぞ部１８を圧入させればよい。このとき、縦割り溝２８及び横割り溝２９により略蟻ほぞ部１８が略蟻溝部１９の内面形状に応じて変形する。具体的には、図２に示されるように、各縦割り溝２８，２８の溝幅（左右幅）が縮小しつつ、略蟻ほぞ部１８の左右両側が同図中矢印Ｍ１方向に弾性変形し、各内側面部３１，３１と各側面部２３，２３との密着性が確保される。また、図４に示されるように、横割り溝２９の溝幅（上下幅）も縮小するようにして略蟻ほぞ部１８の下側が同図中矢印Ｍ２方向に弾性変形し、内底面部３２と底面部２４との密着性も確保される。
【００２６】
前記仮入れ作業を終えた後、ネック１２の左右方向及び上下方向への傾き誤差を測定する測定作業を行う。左右方向の傾き誤差を測定する作業は、図５（Ａ）に示されるように、平面視で胴部１１の左右方向中心部（同図中一点鎖線Ｃ２で示す）と、ネック１２の前記中心部Ｃ１との交差角度θ１を測定することにより行われる。また、上下方向の傾き誤差を測定する作業は、図６（Ａ）に示されるように、側面視で胴部１１の上面位置１１ａと、ネック１２の上面位置１２ａとの交差角度θ２を測定することにより行われる。
【００２７】
前記測定作業において、ネック１２の傾き誤差があった場合、略蟻溝部１９から略蟻ほぞ部１８を抜き出した後、ネック１２の角度を調整する角度調整作業を行う。この作業は、例えば、図５（Ａ）に示されるように、胴部１１の前記中心部Ｃ２に対してネック１２の前記中心部Ｃ１が左方向に傾く誤差が生じた場合、ネック１２の右側における後面部１２Ａだけを前後幅ｗ１（図５（Ｂ）中斜線部参照）削り取ることにより行われる。一方、図６（Ａ）に示されるように、胴部１１の上面位置１１ａに対してネック１２の上面位置１２ａが下方向に傾く誤差が生じた場合、ネック１２の後面部１２Ａ左右両側を、上方に向かうに従って次第に削り量が大きくなるように削り取ればよい（図６（Ｂ）及び（Ｃ）中斜線部参照）。ここで、前記削り量の最大となる前後幅ｗ２は、前記交差角度θ２に応じた換算量として予め求められ、前記前後幅ｗ１は、前記交差角度θ１に対する換算量として予め求められる。後面部１２Ａを削った後で、略蟻ほぞ部１８及び略蟻溝部１９を再度嵌合させると、角度調整作業前に比べ、胴部１１の前面側に対する後面部１２Ａの接触領域が異なるようになり、これによって、胴部１１に対するネック１２の角度も補正されることとなる。ここにおいて、角度調整作業後において、胴部１１の前面側に接する後面部１２Ａ領域が接触部１６とされる。
【００２８】
なお、ネック１２が右方向に傾いた場合には、前述とは反対に、後面部１２Ａの左側を削ればよく、ネック１２が上方向に傾いた場合には、下方に向かって次第に削り量が大きくなるように後面部１２Ａを削り取ればよい。
【００２９】
前記調整作業によりネック１２の傾き誤差がない、若しくは、前記角度調整作業によって傾き誤差が解消された後、略蟻ほぞ部１８の側面部２３及び略蟻溝部１９の間に適宜な接着剤を介して接着する接着作業を行う。ここで、角度調整作業を行ってネック１２の向きを変えた場合であっても、前述と同様に、略蟻溝部１９の内面形状に応じて略蟻ほぞ部１８が変形し、それらの間の密着性が確保される。
【００３０】
従って、このような実施形態によれば、縦割り溝２８及び横割り溝２９を介して略蟻ほぞ部１８が略蟻溝部１９の内面形状に応じて変形するので、各内側面部３１，３１と各側面部２３，２３との密着性や内底面部３２と底面部２４との密着性を良好に保って胴部１１とネック１２との接合強度を安定して維持することが可能となる。また、各内側面部３１，３１及び各側面部２３，２３間の接着面圧が大きくなって接着強度を増大させることができる。
【００３１】
また、縦割り溝２８の作用により略蟻ほぞ部１８が左右方向に変形し易くなり、横割り溝２９の作用により略蟻ほぞ部１８が上下方向に変形し易くなるので、ネック１２の角度を調整する前後において、前記密着性をより良く保つことが可能となる。従って、角度調整作業時に、略蟻ほぞ部１８を削り取る必要性が排除され、ネック１２の後面部１２Ａを削るだけでネック１２の角度を調整することができる。これにより、ネック１２の後面部１２Ａを削るときに、前記傾き誤差に対する換算量を削り取るだけでよくなり、従来のような熟練した技術が必要となる感覚的な作業を回避して生産性を高めることが可能となる。
【００３２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置、材質若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施形態において、凸部及び受容部を略蟻ほぞ部１８及び略蟻溝部１９としたが、凸部の形状を角柱状又は円柱状とし、受容部の形状を凸部に嵌合可能な形状としてもよい。
また、前記嵌合構造１３は、種々の設計変更が可能であり、例えば、略蟻ほぞ部１８を胴部１１に設ける一方、略蟻溝部１９をネック１２に設けた構成に代替してもよい。
更に、縦割り溝２８及び横割り溝２９の形成数は、図示構成例に限られず、一本若しくは複数本に設定してもよい。
また、変形許容部２６は、略蟻溝部１９の内面形状に応じて略蟻ほぞ部１８を変形させる限りにおいて、種々の変更が可能である。
【産業上の利用可能性】
【００３４】
本発明は、嵌合構造を介して胴部にネックが取り付けられたギター等の弦楽器に利用される。
【図面の簡単な説明】
【００３５】
【図１】実施形態に係る弦楽器の部分分解斜視図。
【図２】前記弦楽器の部分平面図。
【図３】図２のＡ−Ａ線に沿う拡大断面図。
【図４】前記弦楽器のネックの正面図。
【図５】（Ａ）及び（Ｂ）は、前記ネックの左右方向角度を調整する作業を説明するための図。
【図６】（Ａ）〜（Ｃ）は、前記ネックの上下方向角度を調整する作業を説明するための図。
【図７】従来例に係る弦楽器の図１と同様の斜視図。
【図８】図７の弦楽器の部分平面図。
【符号の説明】
【００３６】
１０・・・弦楽器、１１・・・胴部、１２・・・ネック、１３・・・嵌合構造、１６・・・接触部、１８・・・略蟻ほぞ部（凸部）、１９・・・略蟻溝部（受容部）、２６・・・変形許容部、２８・・・縦割り溝、２９・・・横割り溝
【図１】
2006047713.tif 000003
【図２】
2006047713.tif 000004
【図３】
2006047713.tif 000005
【図４】
2006047713.tif 000006
【図５】
2006047713.tif 000007
【図６】
2006047713.tif 000008
【図７】
2006047713.tif 000009
【図８】
2006047713.tif 000010